(57)【要約】【課題】  画像データの補正に伴う画像の劣化を抑制することが可能な画像記録装置、画像記録方法、画像表示装置、画像表示方法、画像表示システムを提供する。【解決手段】  ＭＰＥＧ２データに対して、ＭＰＥＧ２データのビデオストリームを補正するための補正データ（伸張係数Ｇ、調光係数Ｌ）と、補正データをビデオストリームに同期させるためのタイミングデータとが、ＭＰＥＧで規定されたプライベートストリームとして付加された合成データを、合成データ入力部３２が通信Ｉ／Ｆ３１を介して入力する。デマルチプレクサ３３が各ストリームを分配した後、伸張処理部３９及び調光素子駆動部４０は、付加されたタイミングデータに基づいたタイミングで、補正データに応じた補正（伸張、調光）を行う。【選択図】  図７
2007049329.tif 000002
【特許請求の範囲】
【請求項１】
画像データを入力する画像データ入力部と、
前記画像データ入力部が入力した前記画像データを解析し、当該画像データが表す画像を補正するための補正データを生成する補正データ生成部と、
前記画像データ入力部が入力した前記画像データに対して、前記補正データ生成部で生成された補正データ、及び前記補正データを前記画像データに同期させるためのタイミングデータを付加した合成データを生成する合成データ生成部と、
を備えたことを特徴とする画像記録装置。
【請求項２】
請求項１に記載の画像記録装置であって、前記画像データは、ＭＰＥＧ規格に基づいた画像データであり、前記合成データ生成部は、前記補正データ及び前記タイミングデータを、前記ＭＰＥＧ規格で規定されたプライベートストリームとして付加することを特徴とする画像記録装置。
【請求項３】
請求項１又は２に記載の画像記録装置であって、前記補正データ生成部は、前記画像データに基づいて、前記画像データが表す階調情報に応じた特徴量を抽出する特徴量抽出部を備え、前記特徴量抽出部で抽出された特徴量に基づいて、前記画像データの階調範囲を伸張するための伸張パラメータを、前記補正データとして生成することを特徴とする画像記録装置。
【請求項４】
請求項３に記載の画像記録装置であって、前記補正データ生成部は、前記特徴量抽出部で抽出された特徴量に基づいて、前記階調範囲の伸張に伴う画像の輝度変化を抑制するための調光パラメータを、前記補正データとして生成することを特徴とする画像記録装置。
【請求項５】
画像データを入力する画像データ入力工程と、
前記画像データ入力工程にて入力した前記画像データを解析し、当該画像データが表す画像を補正するための補正データを生成する補正データ生成工程と、
前記画像データ入力工程にて入力した前記画像データに対して、前記補正データ生成工程にて生成された補正データ、及び前記補正データを前記画像データに同期させるためのタイミングデータを付加した合成データを生成する合成データ生成工程と、
を備えたことを特徴とする画像記録方法。
【請求項６】
画像データに、前記画像データが表す画像を補正するための補正データ、及び前記補正データを前記画像データに同期させるためのタイミングデータが付加された合成データを入力する合成データ入力部と、
前記合成データ入力部が入力した前記合成データから、前記画像データ、前記補正データ、及び前記タイミングデータを抽出するデータ抽出部と、
前記データ抽出部で抽出された前記画像データに対して、前記タイミングデータに基づくタイミングで、前記補正データに基づく補正を施す補正処理部と、
を備え、前記補正処理部で補正された画像データに基づいて、画像を表示することを特徴とする画像表示装置。
【請求項７】
請求項６に記載の画像表示装置であって、前記補正データには、前記画像データの階調範囲を伸張するための伸張パラメータが含まれており、前記補正処理部は、前記伸張パラメータに基づいて、前記階調範囲を伸張することを特徴とする画像表示装置。
【請求項８】
請求項７に記載の画像表示装置であって、前記補正データには、前記階調範囲の伸張に伴う画像の輝度変化を抑制するための調光パラメータが含まれており、前記調光パラメータに基づいて、前記画像の輝度を調整する調光手段を備えたことを特徴とする画像表示装置。
【請求項９】
画像データに、前記画像データが表す画像を補正するための補正データ、及び、前記補正データを前記画像データに同期させるためのタイミングデータが付加された合成データを入力する合成データ入力工程と、
前記合成データ入力工程にて入力した前記合成データから、前記画像データ、前記補正データ、及び前記タイミングデータを抽出するデータ抽出工程と、
前記データ抽出工程で抽出された前記画像データに対して、前記タイミングデータに基づくタイミングで、前記補正データに基づく補正を施す補正処理工程と、
前記補正処理部で補正された画像データに基づいて、画像を表示する表示工程と、
を備えたことを特徴とする画像表示方法。
【請求項１０】
画像記録装置と、画像表示装置とを有する画像表示システムであって、
前記画像記録装置は、
画像データを入力する画像データ入力部と、
前記画像データ入力部が入力した前記画像データを解析し、当該画像データが表す画像を補正するための補正データを生成する補正データ生成部と、
前記画像データ入力部が入力した前記画像データに対して、前記補正データ生成部で生成された前記補正データ、及び前記補正データを前記画像データに同期させるためのタイミングデータを付加した合成データを生成する合成データ生成部と、
を備え、
前記画像表示装置は、
前記合成データを入力する合成データ入力部と、
前記合成データ入力部が入力した前記合成データから、前記画像データ、前記補正データ、及び前記タイミングデータを抽出するデータ抽出部と、
前記データ抽出部で抽出された前記画像データに対して、前記タイミングデータに基づくタイミングで、前記補正データに基づく補正を施す補正処理部と、
を備え、前記補正処理部で補正された画像データに基づいて、画像を表示することを特徴とする画像表示システム。
【請求項１１】
請求項１０に記載の画像表示システムであって、前記画像データは、ＭＰＥＧ規格に基づいた画像データであり、前記画像記録装置の前記合成データ生成部は、前記補正データ及び前記タイミングデータを、前記ＭＰＥＧ規格で規定されたプライベートストリームとして付加することを特徴とする画像表示システム。
【請求項１２】
請求項１０又は１１に記載の画像表示システムであって、前記画像記録装置の前記補正データ生成部は、前記画像データに基づいて、前記画像データが表す階調情報に応じた特徴量を抽出する特徴量抽出部を備え、前記特徴量抽出部で抽出された特徴量に基づいて、前記画像データの階調範囲を伸張するための伸張パラメータを、前記補正データとして生成し、前記画像表示装置の前記補正処理部は、前記伸張パラメータに基づいて、前記階調範囲を伸張することを特徴とする画像表示システム。
【請求項１３】
請求項１２に記載の画像表示システムであって、前記画像記録装置の前記補正データ生成部は、前記特徴量抽出部で抽出された特徴量に基づいて、前記階調範囲の伸張に伴う画像の輝度変化を抑制するための調光パラメータを、前記補正データとして生成し、前記画像表示装置は、前記調光パラメータに基づいて、前記画像の輝度を調整する調光手段を備えたことを特徴とする画像表示システム。
【発明の詳細な説明】
【技術分野】
【０００１】
本発明は、画像記録装置、画像記録方法、画像表示装置、画像表示方法、及び画像表示システムに関する。
【背景技術】
【０００２】
画像表示装置の一形態として、光源から射出された光を、光変調装置（液晶ライトバルブ等）で画像データに応じて変調し、この変調光をスクリーン等に拡大投写して画像を表示するプロジェクタ（投射型表示装置）が知られている。光変調装置は、複数の画素を備えており、画像データに含まれる階調情報に応じて、光の透過率を画素毎に制御することにより、画像データに応じた画像を形成している。
【０００３】
さらに、有効な階調範囲を伸張するために各画素の階調（透過率）を補正する伸張手段と、前記補正に合わせて、光変調装置の各画素に入射する光量を略一様に低減することが可能な調光手段とを備えたプロジェクタが提案されている（例えば、特許文献１参照）。これによれば、例えば、暗い画像を表示する際に、伸張手段によって階調範囲を白側（明るい側）に伸張するとともに、調光手段によって光量を低減させることにより、画像の暗さを維持しつつ有効な階調数を増やし（ダイナミックレンジを拡大し）、コントラスト感を向上させることが可能になる。
【０００４】
【特許文献１】特開２００３−１２１９２４号公報
【発明の開示】
【発明が解決しようとする課題】
【０００５】
しかしながら、動画像を表示する場合のように、画面の明るさが逐次変化する場合には、調光処理や伸張処理が画像の明るさに応じて適切なタイミングで施されないと、画面のちらつきや、過剰な伸張による白飛びが発生してしまうという問題を有している。
【０００６】
本発明は上記問題を鑑みてなされたものであり、その目的は、階調の伸張等、画像データの補正に伴う画像の劣化を抑制することが可能な画像記録装置、画像記録方法、画像表示装置、画像表示方法、及び画像表示システムを提供することにある。
【課題を解決するための手段】
【０００７】
本発明の画像記録装置は、画像データを入力する画像データ入力部と、前記画像データ入力部が入力した前記画像データを解析し、当該画像データが表す画像を補正するための補正データを生成する補正データ生成部と、前記画像データ入力部が入力した前記画像データに対して、前記補正データ生成部で生成された補正データ、及び前記補正データを前記画像データに同期させるためのタイミングデータを付加した合成データを生成する合成データ生成部とを備えたことを特徴とする。
【０００８】
この画像記録装置によれば、画像データに、画像データを補正するための補正データと、補正データを画像データに同期させるためのタイミングデータとを付加した合成データを生成している。このため、合成データに基づいた画像を表示する画像表示装置において、付加されたタイミングデータに基づいたタイミングで補正を行うことが可能となるため、補正タイミングのずれに伴う画像の劣化を抑制することが可能となる。
【０００９】
この画像記録装置において、前記画像データが、ＭＰＥＧ規格に基づいた画像データである場合には、前記合成データ生成部は、前記補正データ及び前記タイミングデータを、前記ＭＰＥＧ規格で規定されたプライベートストリームとして付加することが望ましい。
【００１０】
この画像記録装置によれば、補正データ及びタイミングデータがＭＰＥＧ規格で規定されたプライベートストリームとして付加されるため、付加後の合成データもまたＭＰＥＧ規格に基づいたデータとなる。このため、ＭＰＥＧ規格に基づいた画像データを再生可能な装置であれば、画像データを補正するための構成を備えていない場合にも、画像データに応じた画像を再生することが可能となり、多くの装置で再生可能な合成データを生成することが可能となる。
【００１１】
この画像記録装置において、前記補正データ生成部は、前記画像データに基づいて、前記画像データが表す階調情報に応じた特徴量を抽出する特徴量抽出部を備え、前記特徴量抽出部で抽出された特徴量に基づいて、前記画像データの階調範囲を伸張するための伸張パラメータを、前記補正データとして生成することが望ましい。
【００１２】
この画像記録装置によれば、画像データの階調情報に応じて、階調範囲を伸張するための伸張パラメータを補正データとして生成し、画像データに付加している。このため、合成データに基づいた画像を表示する画像表示装置において、画像データの階調範囲を伸張することが可能となり、画像のダイナミックレンジを拡大してコントラスト感を向上させることが可能となる。
【００１３】
この画像記録装置において、前記補正データ生成部は、前記特徴量抽出部で抽出された特徴量に基づいて、前記階調範囲の伸張に伴う画像の輝度変化を抑制するための調光パラメータを、前記補正データとして生成することが望ましい。
【００１４】
この画像記録装置によれば、伸張パラメータとともに調光パラメータを補正データとして生成し、画像データに付加している。このため、合成データに基づいた画像を表示する画像表示装置において、階調範囲の伸張に伴う輝度の変化を抑制することが可能となる。
【００１５】
本発明の画像記録方法は、画像データを入力する画像データ入力工程と、前記画像データ入力工程にて入力した前記画像データを解析し、当該画像データが表す画像を補正するための補正データを生成する補正データ生成工程と、前記画像データ入力工程にて入力した前記画像データに対して、前記補正データ生成工程にて生成された補正データ、及び前記補正データを前記画像データに同期させるためのタイミングデータを付加した合成データを生成する合成データ生成工程とを備えたことを特徴とする。
【００１６】
この画像記録方法によれば、画像データに、画像データを補正するための補正データと、補正データを画像データに同期させるためのタイミングデータとを付加した合成データを生成している。このため、合成データに基づいた画像を表示する画像表示装置において、付加されたタイミングデータに基づいたタイミングで補正を行うことが可能となるため、補正タイミングのずれに伴う画像の劣化を抑制することが可能となる。
【００１７】
本発明の画像表示装置は、画像データに、前記画像データが表す画像を補正するための補正データ、及び前記補正データを前記画像データに同期させるためのタイミングデータが付加された合成データを入力する合成データ入力部と、前記合成データ入力部が入力した前記合成データから、前記画像データ、前記補正データ、及び前記タイミングデータを抽出するデータ抽出部と、前記データ抽出部で抽出された前記画像データに対して、前記タイミングデータに基づくタイミングで、前記補正データに基づく補正を施す補正処理部とを備え、前記補正処理部で補正された画像データに基づいて、画像を表示することを特徴とする。
【００１８】
この画像表示装置によれば、画像データを補正するための補正データと、補正データを画像データに同期させるためのタイミングデータとが、画像データに付加された合成データを入力し、補正処理部が、画像データに対して、前記タイミングデータに基づくタイミングで、前記補正データに基づく補正を施すため、画像データの補正を適切なタイミングで行うことが可能となる。この結果、補正タイミングのずれに伴う画像の劣化を抑制することが可能となる。
【００１９】
この画像表示装置において、前記補正データに、前記画像データの階調範囲を伸張するための伸張パラメータが含まれている場合には、前記補正処理部は、前記伸張パラメータに基づいて、前記階調範囲を伸張することが望ましい。
【００２０】
この画像表示装置によれば、伸張パラメータに基づいて画像データの階調範囲を伸張することが可能となり、画像のダイナミックレンジを拡大してコントラスト感を向上させることが可能となる。
【００２１】
この画像表示装置において、前記補正データに、前記階調範囲の伸張に伴う画像の輝度変化を抑制するための調光パラメータが含まれている場合には、前記調光パラメータに基づいて、前記画像の輝度を調整する調光手段を備えることが望ましい。
【００２２】
この画像表示装置によれば、調光パラメータに基づいて画像の輝度を調整する調光手段を備えているため、階調範囲の伸張に伴う輝度の変化を抑制することが可能となる。
【００２３】
本発明の画像表示方法は、画像データに、前記画像データが表す画像を補正するための補正データ、及び、前記補正データを前記画像データに同期させるためのタイミングデータが付加された合成データを入力する合成データ入力工程と、前記合成データ入力工程にて入力した前記合成データから、前記画像データ、前記補正データ、及び前記タイミングデータを抽出するデータ抽出工程と、前記データ抽出工程で抽出された前記画像データに対して、前記タイミングデータに基づくタイミングで、前記補正データに基づく補正を施す補正処理工程と、前記補正処理部で補正された画像データに基づいて、画像を表示する表示工程とを備えたことを特徴とする。
【００２４】
この画像表示方法によれば、画像データに、画像データを補正するための補正データと、補正データを画像データに同期させるためのタイミングデータとが付加された合成データを入力し、補正処理工程にて、画像データに対して、前記タイミングデータに基づくタイミングで、前記補正データに基づく補正を施すため、画像データの補正を適切なタイミングで行うことが可能となる。この結果、補正タイミングのずれに伴う画像の劣化を抑制することが可能となる。
【００２５】
本発明の画像表示システムは、画像記録装置と、画像表示装置とを有する画像表示システムであって、前記画像記録装置は、画像データを入力する画像データ入力部と、前記画像データ入力部が入力した前記画像データを解析し、当該画像データが表す画像を補正するための補正データを生成する補正データ生成部と、前記画像データ入力部が入力した前記画像データに対して、前記補正データ生成部で生成された前記補正データ、及び前記補正データを前記画像データに同期させるためのタイミングデータを付加した合成データを生成する合成データ生成部とを備え、前記画像表示装置は、前記合成データを入力する合成データ入力部と、前記合成データ入力部が入力した前記合成データから、前記画像データ、前記補正データ、及び前記タイミングデータを抽出するデータ抽出部と、前記データ抽出部で抽出された前記画像データに対して、前記タイミングデータに基づくタイミングで、前記補正データに基づく補正を施す補正処理部とを備え、前記補正処理部で補正された画像データに基づいて、画像を表示することを特徴とする。
【００２６】
この画像表示システムによれば、画像記録装置が、画像データに対して、画像データを補正するための補正データと、補正データを画像データに同期させるためのタイミングデータとを付加した合成データを生成し、画像表示装置が、付加されたタイミングデータに基づいたタイミングで、補正データに基づく補正を行うため、補正タイミングのずれに伴う画像の劣化を抑制することが可能となる。
【００２７】
この画像表示システムにおいて、前記画像データが、ＭＰＥＧ規格に基づいた画像データである場合には、前記画像記録装置の前記合成データ生成部は、前記補正データ及び前記タイミングデータを、前記ＭＰＥＧ規格で規定されたプライベートストリームとして付加することが望ましい。
【００２８】
この画像表示システムによれば、補正データ及びタイミングデータがＭＰＥＧ規格で規定されたプライベートストリームとして付加されるため、付加後の合成データもまたＭＰＥＧ規格に基づいたデータとなる。このため、ＭＰＥＧ規格に基づいた画像データを再生可能な装置であれば、画像データを補正するための構成を備えていない場合にも、画像データに応じた画像を再生することが可能となり、多くの装置で再生可能な合成データを生成することが可能となる。
【００２９】
この画像表示システムにおいて、前記画像記録装置の前記補正データ生成部は、前記画像データに基づいて、前記画像データが表す階調情報に応じた特徴量を抽出する特徴量抽出部を備え、前記特徴量抽出部で抽出された特徴量に基づいて、前記画像データの階調範囲を伸張するための伸張パラメータを、前記補正データとして生成し、前記画像表示装置の前記補正処理部は、前記伸張パラメータに基づいて、前記階調範囲を伸張することが望ましい。
【００３０】
この画像表示システムによれば、伸張パラメータに基づいて画像データの階調範囲を伸張することが可能となり、画像のダイナミックレンジを拡大してコントラスト感を向上させることが可能となる。
【００３１】
この画像表示システムにおいて、前記画像記録装置の前記補正データ生成部は、前記特徴量抽出部で抽出された特徴量に基づいて、前記階調範囲の伸張に伴う画像の輝度変化を抑制するための調光パラメータを、前記補正データとして生成し、前記画像表示装置は、前記調光パラメータに基づいて、前記画像の輝度を調整する調光手段を備えることが望ましい。
【００３２】
この画像表示システムによれば、画像表示装置が、調光パラメータに基づいて画像の輝度を調整する調光手段を備えているため、階調範囲の伸張に伴う輝度の変化を抑制することが可能となる。
【発明を実施するための最良の形態】
【００３３】
以下、本発明の実施形態に係る画像表示システムについて、図面を参照して説明する。
図１は、本実施形態の画像表示システムの概略構成を示す説明図である。
図１に示すように、画像表示システム１は、画像記録装置としてのサーバ２と、画像表示装置としてのプロジェクタ３とを有しており、サーバ２及びプロジェクタ３は、ＬＡＮ（Local Area Network）やインターネット等の通信ネットワーク４を介して接続されている。サーバ２は、画像データを入力し、この画像データに応じた補正データを生成するとともに、画像データと補正データとを合成した合成データを出力可能になっている。プロジェクタ３は、この合成データを、通信ネットワーク４を介して入力し、スクリーンＳＣ等に合成データに応じた画像を表示する。なお、後述するように、本実施形態のプロジェクタ３は、前記補正データに基づく補正処理として、画像の明るさに応じた階調範囲の伸張処理、及びそれに応じた調光（光量調整）処理が可能となっている。このため、例えば、暗い画像を表示する際には、階調範囲を白側（明るい側）に伸張するとともに、伸張量に応じて光量を低減させることで、画像の暗さを維持しつつ有効な階調数を増やし（ダイナミックレンジを拡大し）、コントラスト感を向上させることができる。
【００３４】
図２は、本実施形態のサーバ２の構成を示すブロック図である。
サーバ２は、パーソナルコンピュータ等で構成され、図２に示すように、制御部１０と、ＨＤＤ（Hard Disk Drive）１１と、ＤＶＤ（Digital Versatile Disk）ドライブ１２と、通信部１３とを備えている。
【００３５】
制御部１０は、データ制御部１５、補正データ生成部１６、合成データ生成部１７等で構成され、サーバ２の動作を統括制御するとともに、ＨＤＤ１１やＤＶＤドライブ１２から画像データを入力して各種処理を施したり、処理後のデータをＨＤＤ１１やＤＶＤドライブ１２に出力したりすることができる。なお、制御部１０は、具体的には、図示しないＣＰＵ（Central Processing Unit）やＲＯＭ（Read Only Memory）、ＲＡＭ（Random Access Memory）等で構成されており、ＣＰＵがＨＤＤ１１に記憶された制御プログラムをＲＡＭに読み込んだ後、当該制御プログラムに従って動作することにより、上記各部１５〜１７が実現されている。
【００３６】
ＨＤＤ１１は、前記制御プログラムの他に、ＭＰＥＧ２データ（ＭＰＥＧ（Moving Picture Expert Group）規格に基づいた動画像を表す画像データの１つ）を含む各種データを記憶する。ＤＶＤドライブ１２は、ＭＰＥＧ２データ等のデータが記憶されたＤＶＤメディア１８からデータを読み出したり、記録型のＤＶＤメディア１８に対してデータを書き込んだりすることができる。なお、ＨＤＤ１１やＤＶＤドライブ１２は、１台ずつに限られず、それぞれ複数台を備える構成としてもよい。
【００３７】
ここで、ＨＤＤ１１やＤＶＤメディア１８に記憶されているＭＰＥＧ２データについて説明する。ＭＰＥＧ２データは、符号化されたビデオストリームやオーディオストリーム等、複数のエレメンタリストリームが多重化されたシステムストリームとして記録されている。ＭＰＥＧ２のシステムストリームは、多重化の方式によって、１つのプログラムで構成されるプログラムストリームと、複数のプログラムを包含し得るトランスポートストリームとに分類されるが、ここでは、説明を簡単にするため、プログラムストリームの場合を例に説明する。
【００３８】
図３（ａ）〜（ｃ）は、プログラムストリームを説明するための説明図である。
図３（ａ）に示すように、ＭＰＥＧ２データ（プログラムストリーム）は、複数のパック２１で構成されており、図３（ｂ）に示すように、各パック２１には、パックヘッダ２２と、１つ以上（ＤＶＤの場合は、通常１つ）のＰＥＳ（Packetized Elementary Stream）パケット２３とが含まれる。パックヘッダ２２には、当該ＭＰＥＧ２データを再生する機器（本実施形態では、プロジェクタ３）の基準クロック（ＳＴＣ：System Time Clock）の参照値であるＳＣＲ（System Clock Reference）等が格納されており、各ＰＥＳパケット２３は、図３（ｃ）に示すように、ＰＥＳヘッダ２４と、データ部（ペイロード）２５とで構成されている。
【００３９】
データ部２５には、エレメンタリストリームを所定の単位（例えば、ビデオストリームの場合には１フレーム等、オーディオストリームの場合には１オーディオフレーム等）で分割したデータが、ＭＰＥＧ規格に従って符号化されて格納される。
ＰＥＳヘッダ２４には、ストリーム識別子（Stream ID）が格納されるとともに、必要に応じてＰＴＳ（Presentation Time Stamp）、ＤＴＳ（Decoding Time Stamp）等が格納される。
【００４０】
ストリーム識別子は、ビデオストリームやオーディオストリーム等、当該ＰＥＳパケット２３のデータ部２５に格納されているエレメンタリストリームの種別を識別するための１バイトのデータである。例えば、ストリーム識別子が１１１０００００ｂであれば、当該ＰＥＳパケット２３は、ビデオストリームを構成するビデオ情報をデータ部２５に格納したＰＥＳパケット２３ｖであることを示し、ストリーム識別子が１１００００００ｂであれば、オーディオストリームを構成するオーディオ情報をデータ部２５に格納したＰＥＳパケット２３ａであることを示す。また、１０１１１１０１ｂは、プライベートストリームを表すストリーム識別子である。プライベートストリームは、データ部２５にその他の付加情報を格納する場合に用いられる。
【００４１】
ＰＴＳは、ビデオ情報やオーディオ情報等の再生タイミングを表すタイミングデータ（時刻データ）であり、ＤＴＳは、ビデオ情報やオーディオ情報等のデコードタイミングを表すタイミングデータである。ＭＰＥＧ２データを再生可能な再生機器（プロジェクタ３を含む）は、ＳＴＣとＤＴＳとが一致したときにデコードし、ＳＴＣとＰＴＳとが一致したときに再生を行う。これにより、各エレメンタリストリームを同期させて再生することが可能となっている。
【００４２】
図２に戻って、制御部１０のデータ制御部１５は、制御部１０と、その外部とのデータの入出力を制御するものであり、データ入力部１５ａとデータ出力部１５ｂとを備えている。データ入力部１５ａは、本発明の画像データ入力部に相当し、ＨＤＤ１１又はＤＶＤドライブ１２から画像データ（ＭＰＥＧ２データ）を入力して、補正データ生成部１６及び合成データ生成部１７に出力する。
【００４３】
図４は、補正データ生成部１６をさらに詳細に説明するためのブロック図である。
図４に示すように、補正データ生成部１６は、画像データ変換部１６ａと、特徴量抽出部１６ｂと、補正データ計算部１６ｃと、補正パケット生成部１６ｄとからなっている。
画像データ変換部１６ａは、入力したＭＰＥＧ２データをデコードし、１フレーム毎に、フレーム画像を構成する各画素の輝度値からなるビットマップ画像に変換する。
【００４４】
特徴量抽出部１６ｂは、上記ビットマップ画像から、画像の明るさ（各画素の輝度値）に基づいた各種特徴量を１フレーム毎に抽出する。特徴量としては、１フレーム内の最大輝度値（白ピーク値）や、１フレーム内の平均輝度を表すＡＰＬ（Average Picture Level：平均画像レベル）が抽出（導出）される。
【００４５】
補正データ計算部１６ｃは、抽出した各フレームの白ピーク値とＡＰＬとに基づき、ＬＵＴ（Look Up Table）等を用いて、入力したＭＰＥＧ２データが表す画像を補正するための補正データを、１フレーム毎に計算する。本実施形態では、補正データとして、画像データの各輝度値を伸張する倍率（伸張率）を導くための伸張係数Ｇ、及び調光量（輝度低減量）を定めるための調光係数Ｌを導出する。ここで、伸張係数Ｇは、８ビットの数値（０〜２５５）で表されるパラメータ（伸張パラメータ）であり、プロジェクタ３が、伸張率として１＋Ｇ／２５６を各輝度値に乗じることにより、各輝度値が１倍〜約２倍の範囲で伸張される。この結果、１フレーム内で用いられる輝度値の範囲（階調範囲）が伸張し、コントラスト感を向上させることができる。調光係数Ｌは、階調範囲の伸張に伴って画像が明るくなるのを抑制するために、画像の輝度を一様に低減させるためのパラメータ（調光パラメータ）であり、８ビットの数値（０〜２５５）で表される。プロジェクタ３は、調光係数Ｌが小さいほど、光量が小さくなるように調光する。
【００４６】
なお、補正によりコントラスト感を向上させるためには、輝度値の伸張による白飛びの発生が最小限に収まる範囲内で、輝度値をできるだけ伸張する必要がある。ここで、１フレーム内の白ピーク値が小さいほど、白飛びを発生させずに輝度値を大きく伸張することが可能であるため、補正データ計算部１６ｃにおいて各係数Ｇ，Ｌを導出する際には、抽出した白ピーク値が小さいほど、伸張係数Ｇを大きく（調光係数Ｌは小さく）するのが望ましい。また、入力したＡＰＬの値が小さく白ピーク値から離れているほど、伸張処理により白飛びが発生する画素が限られることから、ＡＰＬの値が小さいほど、伸張係数Ｇが大きく（調光係数Ｌは小さく）なるよう加味するのが望ましい。
【００４７】
補正パケット生成部１６ｄは、フレーム毎に、導出した伸張係数Ｇを格納した補正パケット２３ｇ、及び、導出した調光係数Ｌを格納した補正パケット２３ｌを生成する。補正パケット２３ｇ，２３ｌは、ＭＰＥＧ規格に基づくＰＥＳパケットからなり、他のＰＥＳパケット２３（２３ｖ，２３ａ）と同様に、ＰＥＳヘッダ２４とデータ部２５とを有する（図３参照）。ＰＥＳヘッダ２４には、プライベートストリームを表すストリーム識別子（１０１１１１０１ｂ）を格納するとともに、当該補正（伸張、調光）を施すべきタイミングを表す時刻情報をＰＴＳとして格納し、データ部２５には、補正の種別（伸張又は調光）を表す補正識別子と、それに対応する補正データ（伸張係数Ｇ又は調光係数Ｌ）を格納する。なお、補正（伸張、調光）は、ビデオストリームに同期してなされる必要があるため、本実施形態では、ＰＴＳとして格納する時刻情報に、ビデオストリームのＰＴＳ、即ち、各補正データを導いたフレーム画像のＰＴＳと同一のＰＴＳを用いるようにしている。生成された補正パケット２３ｇ、２３ｌは、合成データ生成部１７に出力される。
【００４８】
合成データ生成部１７は、図５（ａ）に示すように、データ制御部１５から入力したＭＰＥＧ２データＤｏに、補正データ生成部１６から入力した補正パケット２３ｇ、２３ｌを挿入し、図５（ｂ）に示すような合成データＤｃを生成する。ここで、生成された合成データＤｃは、元のＭＰＥＧ２データＤｏに、プライベートストリームを表すＰＥＳパケット（補正パケット２３ｇ、２３ｌ）を挿入しただけのものであるため、合成データＤｃもまたＭＰＥＧ規格に基づいたＭＰＥＧ２データとなる。このため、ＭＰＥＧ２データを再生可能な再生装置であれば、当該合成データＤｃに含まれるビデオストリームやオーディオストリームを再生することが可能である。
【００４９】
生成した合成データＤｃは、データ制御部１５に出力され、データ出力部１５ｂによってＨＤＤ１１に記憶される。なお、元のＭＰＥＧ２データＤｏがＨＤＤ１１から読み出された場合には、ＤＶＤドライブ１２を介して記録型のＤＶＤメディア１８に記憶させることも可能であり、また、ＤＶＤドライブ１２が複数接続されている場合には、ＤＶＤメディア１８からＭＰＥＧ２データＤｏを読み出すとともに、合成データＤｃを他のＤＶＤメディアに記憶させることも可能である。
【００５０】
通信部１３は、通信ネットワーク４に接続され、通信ネットワーク４を介したデータ通信を可能にするものであり、制御部１０は、データ制御部１５のデータ入力部１５ａによってＨＤＤ１１等に記憶された合成データＤｃを読み出して、データ出力部１５ｂによって通信部１３からプロジェクタ３に出力することができる。
【００５１】
次に、本実施形態のプロジェクタ３について、図面を参照して説明する。
図６は、プロジェクタ３の概略構成を示す構成図であり、光源から射出された光がスクリーンに至るまでの光路を示している。
図６に示すように、プロジェクタ３は、照明光学系１１０と、色光分離光学系１２０と、リレー光学系１３０と、光変調装置としての３つの液晶ライトバルブ１４０Ｒ，１４０Ｇ，１４０Ｂと、クロスダイクロイックプリズム１５０と、投写レンズ１６０とを備えている。
【００５２】
照明光学系１１０は、超高圧水銀ランプやメタルハライドランプ等の放電型光源ランプからなる光源１１１と、第１のレンズアレイ１１２と、第２のレンズアレイ１１３と、偏光変換素子１１４と、重畳レンズ１１５と、調光素子１１６とを備えている。光源１１１から射出された光線束は、微小なレンズ１１２ａがマトリクス状に配置された第１のレンズアレイ１１２によって多数の微小な光線束に分割される。第２のレンズアレイ１１３及び重畳レンズ１１５は、分割された光線束のそれぞれが、照明対象である３つの液晶ライトバルブ１４０Ｒ，１４０Ｇ，１４０Ｂの全体を照射するように備えられている。このため、各光線束が液晶ライトバルブ１４０Ｒ，１４０Ｇ，１４０Ｂで重畳され、液晶ライトバルブ１４０Ｒ，１４０Ｇ，１４０Ｂの全体がほぼ均一に照明される。
【００５３】
ここで、第１及び第２のレンズアレイ１１２，１１３間の光路には、調光素子１１６が備えられている。調光素子１１６は、ルーバー１１６ａの回動により第１のレンズアレイ１１２から射出される光を絞ることが可能となっており、第１のレンズアレイ１１２によって分割された光線束の一部を遮ることができる。このため、調光素子１１６の絞り量に応じて、液晶ライトバルブ１４０Ｒ，１４０Ｇ，１４０Ｂを照明する光の量が略一様に制限される。
【００５４】
偏光変換素子１１４は、光源１１１からの光を液晶ライトバルブ１４０Ｒ，１４０Ｇ，１４０Ｂで効率よく利用可能とするため、特定の偏光方向を有する偏光光に揃える機能を有している。照明光学系１１０を射出した偏光光は、色光分離光学系１２０に入射する。
【００５５】
色光分離光学系１２０は、第１のダイクロイックミラー１２１と、第１の反射ミラー１２２と、第２のダイクロイックミラー１２３とを備えており、照明光学系１１０から射出された光を、波長域の異なる３色の光に分離する。第１のダイクロイックミラー１２１は、略赤色の光を透過させるとともに、透過する光よりも短波長の光を反射する。第１のダイクロイックミラー１２１を透過した赤色光Ｒは、第１の反射ミラー１２２で反射されて赤色光用の液晶ライトバルブ１４０Ｒを照明する。
【００５６】
第１のダイクロイックミラー１２１で反射された光のうち、緑色光Ｇは、第２のダイクロイックミラー１２３によって反射されて緑色光用の液晶ライトバルブ１４０Ｇを照明する。また、青色光Ｂは、第２のダイクロイックミラー１２３を透過し、リレー光学系１３０を通過して、青色光用の液晶ライトバルブ１４０Ｂを照明する。
【００５７】
なお、青色光Ｂの経路は、他の色光の経路に比べて長くなってしまうことから、光線束の発散によって液晶ライトバルブ１４０Ｂへの照明効率が低下するのを抑制するために、青色光Ｂの経路には、リレー光学系１３０が設けられている。リレー光学系１３０は、入射側レンズ１３１と、第２の反射ミラー１３２と、リレーレンズ１３３と、第３の反射ミラー１３４と、射出側レンズ１３５とを備えている。色光分離光学系１２０から射出した青色光Ｂは、入射側レンズ１３１によってリレーレンズ１３３の近傍で収束し、射出側レンズ１３５に向けて発散する。
【００５８】
液晶ライトバルブ１４０Ｒ，１４０Ｇ，１４０Ｂのそれぞれは、一対の透明基板間に液晶が封入された液晶パネル１４１を備えており、液晶パネル１４１の内面には、液晶に対して微小領域（画素）毎に駆動電圧を印加可能な透明電極（画素電極）がマトリクス状に形成されている。また、液晶パネル１４１の入射側表面及び射出側表面には、それぞれ入射側偏光板１４２及び射出側偏光板１４３が貼り付けられている。入射側偏光板１４２及び射出側偏光板１４３は、それぞれ特定の偏光方向の偏光光のみを透過可能であり、入射側偏光板１４２は、偏光変換素子１１４によって揃えられた偏光方向の偏光光を透過可能となっている。このため、各液晶ライトバルブ１４０Ｒ，１４０Ｇ，１４０Ｂに入射する各色光の大部分は入射側偏光板１４２を透過して、液晶パネル１４１に入射する。
【００５９】
ここで、液晶パネル１４１の各画素に、画像信号に応じた駆動電圧が印加されると、液晶パネル１４１に入射した光は、駆動電圧に応じて変調され、画素毎に異なる偏光方向を有した偏光光となる。この偏光光のうち、射出側偏光板１４３を透過可能な偏光成分のみが液晶ライトバルブ１４０Ｒ，１４０Ｇ，１４０Ｂから射出される。つまり、液晶ライトバルブ１４０Ｒ，１４０Ｇ，１４０Ｂが、画像信号に応じて、画素毎に異なる透過率で入射光を透過させることによって、階調を有する光学像が色光毎に形成される。液晶ライトバルブ１４０Ｒ，１４０Ｇ，１４０Ｂから射出した各色光からなる光学像は、クロスダイクロイックプリズム１５０に入射する。
【００６０】
クロスダイクロイックプリズム１５０は、各液晶ライトバルブ１４０Ｒ，１４０Ｇ，１４０Ｂから射出された各色の光学像を、画素毎に合成してカラー画像を表す光学像を形成する。クロスダイクロイックプリズム１５０によって合成された光学像は、投写レンズ１６０によってスクリーンＳＣに拡大投写され、画像として表示される。
【００６１】
図７は、プロジェクタ３の回路構成を説明するためのブロック図である。
図７に示すように、プロジェクタ３は、図６に示した構成要素に加えて、通信インターフェイス（Ｉ／Ｆ）３１、合成データ入力部３２、デマルチプレクサ３３、ＳＴＣ生成部３４、システム制御部３５、ビデオデコーダ３６、オーディオデコーダ３７、補正制御部３８、伸張処理部３９、調光素子駆動部４０、ライトバルブ駆動部４１等を備えている。
【００６２】
合成データ入力部３２は、サーバ２から通信ネットワーク４を介して供給されたＭＰＥＧ２データ（合成データＤｃ）を、通信インターフェイス３１を介して入力し、順次デマルチプレクサ３３に出力する。
【００６３】
デマルチプレクサ３３は、本発明のデータ抽出部に相当し、入力した合成データＤｃ（プログラムストリーム）から、各種データを抽出して分配する。具体的には、各パック２１のパックヘッダ２２に含まれるＳＣＲを抽出してＳＴＣ生成部３４に出力し、各ＰＥＳパケット２３（補正パケット２３ｇ，２３ｌを含む）のＰＥＳヘッダ２４に含まれるＰＴＳ、ＤＴＳを抽出してシステム制御部３５に出力する。さらに、各ＰＥＳパケット２３のデータ部２５に含まれる各種エレメンタリストリーム（ビデオストリーム、オーディオストリーム、プライベートストリーム）を抽出するとともに、ＰＥＳヘッダ２４に含まれるストリーム識別子を参照して、これらの種別（ストリーム）を識別し、ビデオストリームをビデオデコーダ３６に、オーディオストリームをオーディオデコーダ３７に、プライベートストリーム（補正データ）を補正制御部３８に分配する。
【００６４】
ＳＴＣ生成部３４は、入力したＳＣＲに基づいてＳＴＣを生成し、システム制御部３５に出力する。システム制御部３５は、ＳＴＣ生成部３４から入力したＳＴＣと、デマルチプレクサ３３から入力したＰＴＳやＤＴＳを比較し、比較結果に基づいたタイミングで、ビデオデコーダ３６、オーディオデコーダ３７、補正制御部３８に動作指示を行う。具体的には、ビデオストリームやオーディオストリームにＤＴＳが付加されていた場合には、ＳＴＣとＤＴＳが一致した時に、各デコーダ３６，３７でのデコードの開始を指示し、ＰＴＳが付加されていた場合には、ＳＴＣとＰＴＳが一致した時に、各デコーダ３６，３７からの出力（再生）の指示を行う。また、ＳＴＣと、補正データを格納したプライベートストリームに付加されているＰＴＳが一致した時には、補正制御部３８に対して、補正処理の開始を指示する。これにより、補正処理をビデオストリームに同期させて実施することが可能になっている。
【００６５】
ビデオデコーダ３６は、システム制御部３５からの動作指示に基づいて、デマルチプレクサ３３から入力したビデオストリームをデコードし、フレーム毎に、Ｒ（赤）、Ｇ（緑）、Ｂ（青）、各色の階調を１０ビットの輝度値（０〜１０２３）で表した画像データを生成して伸張処理部３９に出力する。オーディオデコーダ３７は、システム制御部３５からの動作指示に基づいて、デマルチプレクサ３３から入力したオーディオストリームをデコードする。デコードされた音声信号は、図示しない増幅回路等を介して図示しないスピーカ等から音声として出力される。
【００６６】
補正制御部３８は、デマルチプレクサ３３からプライベートストリームとして入力した補正データ（伸張係数Ｇ又は調光係数Ｌ）を、補正識別子により識別し、補正データが伸張係数Ｇであれば、伸張処理部３９に出力し、調光係数Ｌであれば、調光素子駆動部４０に出力する。各補正データの出力は、システム制御部３５からの動作指示に基づいたタイミングで行われる。
【００６７】
伸張処理部３９は、本発明の補正処理部に相当し、ビデオデコーダ３６から入力した画像データの各輝度値に対して、補正制御部３８から入力した伸張係数Ｇに応じた伸張率（１＋Ｇ／２５６）を乗じて伸張する。これに伴い、画像データの輝度値の範囲（階調範囲）が伸張される。伸張された輝度値は、ライトバルブ駆動部４１に出力され、ライトバルブ駆動部４１は、伸張された輝度値に応じて液晶ライトバルブ１４０Ｒ，１４０Ｇ，１４０Ｂを駆動する。また、調光素子駆動部４０は、調光素子１１６の絞り量が、入力した調光係数Ｌに応じた値となるように、調光素子１１６のルーバー１１６ａを駆動する。なお、調光素子１１６及び調光素子駆動部４０は、本発明の調光手段に相当する。
以上の動作により、スクリーンＳＣには、階調範囲が伸張されてコントラスト感が向上した画像が適度な輝度で表示される。
【００６８】
以上説明したように、本実施形態の画像表示システム１、サーバ２、及びプロジェクタ３によれば、以下の効果を得ることができる。
（１）本実施形態の画像表示システム１、サーバ２、及びプロジェクタ３によれば、サーバ２が、元のＭＰＥＧ２データＤｏに対して、ＭＰＥＧ２データＤｏのビデオストリームを補正するための補正データ（伸張係数Ｇ、調光係数Ｌ）と、補正データをビデオストリームに同期させるためのタイミングデータ（ＰＴＳ）とを付加した合成データＤｃを生成し、プロジェクタ３が、当該合成データＤｃを入力して、付加されたタイミングデータに基づいたタイミングで、補正データに応じた補正（伸張、調光）を行うため、補正タイミングのずれに伴う画像の劣化（白飛びやちらつき等）を抑制することが可能となる。
【００６９】
（２）本実施形態の画像表示システム１、サーバ２、及びプロジェクタ３によれば、サーバ２の補正データ生成部１６が、画像の特徴量に基づいた伸張係数Ｇを生成し、プロジェクタ３が、伸張係数Ｇに基づいて画像の階調範囲を伸張するため、画像のダイナミックレンジを拡大してコントラスト感を向上させることが可能となる。
【００７０】
（３）本実施形態の画像表示システム１、サーバ２、及びプロジェクタ３によれば、サーバ２の補正データ生成部１６が、画像の特徴量に基づいた調光係数Ｌを生成し、プロジェクタ３が、調光係数Ｌに基づいて調光素子１１６を駆動するため、階調範囲の伸張に伴う輝度の変化を抑制することが可能となる。
【００７１】
（４）本実施形態の画像表示システム１、及びサーバ２によれば、サーバ２が、補正データ（伸張係数Ｇ、調光係数Ｌ）及びタイミングデータ（ＰＴＳ）を、ＭＰＥＧ規格で規定されたプライベートストリームとしてＭＰＥＧ２データＤｏに付加しているため、付加後の合成データＤｃもまたＭＰＥＧ規格に基づいたＭＰＥＧ２データとなっている。このため、ＭＰＥＧ２データを再生可能な装置であれば、データを補正するための構成（伸張処理部３９や調光素子１１６等）を備えていない場合にも、合成データＤｃから、元のＭＰＥＧ２データＤｏに応じた画像を再生することが可能となり、多くの装置で再生可能な合成データを生成することが可能となる。
【００７２】
（５）本実施形態の画像表示システム１、及びサーバ２によれば、サーバ２が、補正データ（伸張係数Ｇ、調光係数Ｌ）及びタイミングデータをＭＰＥＧ２データＤｏに合成した合成データＤｃを生成しているため、補正データやタイミングデータが、ＭＰＥＧ２データＤｏとは別個に存在する場合と比較して、データを利用する際の利便性が向上する。
【００７３】
（６）本実施形態の画像表示システム１、及びプロジェクタ３によれば、プロジェクタ３が、通信部１３を介して合成データＤｃを入力する構成になっているため、記憶媒体を経由して合成データＤｃを入力する場合とは異なり、記録媒体からデータを読み出すための装置等を備える必要がない。
【００７４】
（変形例）
なお、本発明の実施形態は、以下のように変更してもよい。
・前記実施形態では、ＭＰＥＧ２のプログラムストリームを例に説明しているが、ＭＰＥＧ２のトランスポートストリームやＭＰＥＧ１データに対しても、補正データやタイミングデータをプライベートストリームとして付加することが可能である。また、元の画像データはＭＰＥＧ規格に基づいたデータに限られず、他の形式の画像データに対して、補正データやタイミングデータを付加するようにしてもよい。
【００７５】
・前記実施形態では、サーバ２から通信ネットワーク４を介してプロジェクタ３に合成データＤｃを配信する構成を示しているが、ＵＳＢ（Universal Serial Bus）規格等に基づいたデータ転送であってもよい。或いは、プロジェクタ３に、ＤＶＤメディア等の記憶媒体からデータを読み取り可能な読取装置を備えることにより、記憶媒体を介して合成データＤｃを供給するようにしてもよい。
【００７６】
・前記実施形態では、サーバ２は、ＨＤＤ１１又はＤＶＤメディア１８に記憶されたＭＰＥＧ２データＤｏを入力しているが、データの入力元は前記に限られず、ＣＤ−ＲＯＭや各種メモリカード等、他の記憶媒体から入力したり、通信ネットワーク４に接続された外部の画像供給装置等から通信部１３を介して入力したりするようにしてもよい。或いは、撮像装置等から直接画像データを入力可能な構成としてもよい。
【００７７】
・前記実施形態では、サーバ２の補正パケット生成部１６ｄが、補正を施すべきタイミングを表す時刻情報を、プライベートストリームのＰＴＳとして補正パケット２３ｇ，２３ｌに格納しているが、補正制御（補正制御部３８による制御、及び伸張処理部３９や調光素子駆動部４０による補正処理を含む）に時間を要する場合には、例えば、補正制御の開始時刻を表す時刻情報をＤＴＳ、補正制御の完了時刻を表す時刻情報をＰＴＳとして格納するようにしてもよい。プロジェクタ３は、当該ＤＴＳに基づいて事前に補正制御を開始することにより、本来補正を施すべきタイミング（ＰＴＳ）で補正制御を完了させることが可能となり、補正制御に時間を要する場合でも、ビデオストリームに同期した補正を行うことが可能となる。なお、この場合には、補正制御部３８は、ＤＴＳ及びＰＴＳが表す２つの時刻にシステム制御部３５から動作指示を受けることになるが、ＰＴＳに基づく動作指示は無視するようにしてもよい。また、補正制御が、２段階の制御を要する場合には、第１段階の制御を施すべきタイミングをＤＴＳ、第２段階の制御を施すべきタイミングをＰＴＳとして格納し、プロジェクタ３が、ＤＴＳ、ＰＴＳに基づく動作指示で、それぞれ第１の補正制御、第２の補正制御を行うようにしてもよい。
【００７８】
・前記実施形態では、伸張係数Ｇと調光係数Ｌとを、別個の補正パケット２３ｇ，２３ｌに格納するようにしているが、伸張係数Ｇと調光係数Ｌとを、同一の補正パケットのデータ部に格納するようにしてもよい。
【００７９】
・前記実施形態では、プロジェクタ３は、合成データＤｃに付加された補正データに応じた補正を行うようにしているが、ユーザの意思等に基づいて、補正の実施・不実施を選択できるようにしてもよい。補正を実施しない場合には、元のＭＰＥＧ２データＤｏに基づいた画像を表示することが可能である。
【００８０】
・前記実施形態では、伸張係数Ｇや調光係数Ｌを導出するための特徴量として、白ピーク値とＡＰＬとを用いているが、利用する特徴量は前記に限定されず、例えば、１フレーム内の最小輝度値（黒ピーク値）や、最頻輝度値、分散等の各種統計値を用いることも可能である。
【００８１】
・前記実施形態では、階調を白側（明るい側）に伸張可能な構成を説明しているが、階調を黒側（暗い側）に伸張するようにしてもよし、白黒両側に伸張可能な構成としてもよい。なお、黒側への伸張のみを行う場合には、調光素子１１６による調光の必要はない。
【００８２】
・前記実施形態では、光源１１１として超高圧水銀ランプやメタルハライドランプ等の放電型光源ランプを用いているが、ＬＥＤ（発光ダイオード）からなるＬＥＤ光源等、他の光源を用いてもよい。
【００８３】
・前記実施形態では、画像表示装置として、外部のスクリーン等に画像を投写するプロジェクタ３を例に説明しているが、透過型のスクリーンが一体的に備えられ、その背面側に画像を投写するリアプロジェクタにも適用可能である。また、バックライトの光等を変調する液晶表示装置等にも適用することができる。
【００８４】
・前記実施形態では、光源１１１の光を調光するための調光手段として、ルーバー１１６ａにより光量を絞る調光素子１１６を用いているが、絞り羽根等の他の絞り機構、或いは、光源やバックライトの発光光量を制御可能な制御回路を用いることもできる。また、印加する電圧に応じて光の透過率を変更可能な液晶素子やエレクトロクロミックガラス等を調光素子として用い、光源１１１からスクリーンＳＣに至る光路の途中、或いは、スクリーンＳＣが透過型である場合には、その前面に備えるようにしてもよい。
【００８５】
・前記実施形態では、光変調装置として、透過型の液晶ライトバルブ１４０Ｒ，１４０Ｇ，１４０Ｂを用いているが、反射型の光変調装置であるＬＣＯＳ（Liquid Crystal On Silicon）等を用いることも可能である。また、入射した光の射出方向を、マイクロミラー毎に制御することにより、光源から射出した光を変調するＤＭＤ（テキサスインスツルメンツ社の登録商標）（デジタル・マイクロミラー・デバイス）等を用いることもできる。
【図面の簡単な説明】
【００８６】
【図１】実施形態に係る画像表示システムの概略構成を示す説明図。
【図２】サーバの構成を示すブロック図。
【図３】（ａ）〜（ｃ）は、プログラムストリームを説明するための説明図。
【図４】補正データ生成部をさらに詳細に説明するためのブロック図。
【図５】合成データ生成部による合成データの生成を説明するための説明図。
【図６】プロジェクタの概略構成を示す構成図。
【図７】プロジェクタの回路構成を説明するためのブロック図。
【符号の説明】
【００８７】
１…画像表示システム、２…サーバ、３…プロジェクタ、４…通信ネットワーク、１０…制御部、１１…ＨＤＤ、１２…ＤＶＤドライブ、１３…通信部、１５…データ制御部、１５ａ…データ入力部、１５ｂ…データ出力部、１６…補正データ生成部、１６ａ…画像データ変換部、１６ｂ…特徴量抽出部、１６ｃ…補正データ計算部、１６ｄ…補正パケット生成部、１７…合成データ生成部、１８…ＤＶＤメディア、２１…パック、２２…パックヘッダ、２３，２３ａ，２３ｖ…ＰＥＳパケット、２３ｇ，２３ｌ…補正パケット、２４…ＰＥＳヘッダ、２５…データ部、３１…通信インターフェイス、３２…合成データ入力部、３３…デマルチプレクサ、３４…ＳＴＣ生成部、３５…システム制御部、３６…ビデオデコーダ、３７…オーディオデコーダ、３８…補正制御部、３９…伸張処理部、４０…調光素子駆動部、４１…ライトバルブ駆動部、１１１…光源、１１６…調光素子、１１６ａ…ルーバー、１４０Ｒ，１４０Ｇ，１４０Ｂ…液晶ライトバルブ、１６０…投写レンズ。
【図１】
2007049329.tif 000003
【図２】
2007049329.tif 000004
【図３】
2007049329.tif 000005
【図４】
2007049329.tif 000006
【図５】
2007049329.tif 000007
【図６】
2007049329.tif 000008
【図７】
2007049329.tif 000009